(57)【要約】【課題】  床組の施工工数を減らすことができ、床下地パネルの高さを広い範囲で調整可能な床束を提供する。【解決手段】床束は、基盤面上に設置され、床下地パネルを支持する床束であって、基盤面に固定されるベースと、前記ベースから上方に延びて設けられ、上下方向の中間部にその長さを調整可能な第一調整部を有する支柱部と、前記支柱部の前記第一調整部よりも上部において、上下方向に移動可能に設けられる第二調整部と、前記第二調整部に外挿するとともに、前記床下地パネルを保持する保持板と、を備え、前記第一調整部は、水平方向から操作可能であるとともに、前記第二調整部は、上方から操作可能である。【選択図】図１
2015168984.tif 000002
【特許請求の範囲】
【請求項１】
基盤面上に設置され、床下地パネルを支持する床束であって、
基盤面に固定されるベースと、
前記ベースから上方に延びて設けられ、上下方向の中間部にその長さを調整可能な第一調整部を有する支柱部と、
前記支柱部の前記第一調整部よりも上部において、上下方向に移動可能に設けられる第二調整部と、
前記第二調整部に外挿するとともに、前記床下地パネルを保持する保持板と、
を備え、
前記第一調整部は、水平方向から操作可能であるとともに、前記第二調整部は、上方から操作可能であることを特徴とする床束。
【請求項２】
前記第二調整部は、前記支柱部に螺嵌するネジ孔と、前記保持板を空転可能に支持する支持部と、前記支持部の上部に設けられ、前記保持板の上方に突出し、上方から回転操作可能なナット部と、を有する保持ナットと、
上方から前記保持ナットを覆って当該保持ナットを拘束する袋部と、前記袋部の上側に設けられ前記支柱部に螺嵌する操作部と、を有するロックナットと、
を備えることを特徴とする請求項１に記載の床束。
【請求項３】
前記保持ナットの前記ナット部と、前記ロックナットの前記操作部とは、上方から見て同一形状であることを特徴とする請求項２に記載の床束。
【発明の詳細な説明】
【技術分野】
【０００１】
本発明は、土間又はスラブなどのコンクリート床に立設されて、床パネルを支持する床束に関する。
【背景技術】
【０００２】
従来より、住宅等の建築物において、土間コンクリートなどのコンクリート床上に複数の床束を配設し、これらの床束の上に大引を水平に乗せて固定する床組が種々知られている（例えば、特許文献１及び特許文献２）。このような床組みに用いられる床束は、大引を固定する大引支持部と、この大引支持部を支持する支柱部と、支柱部の下端に設けられてコンクリート床に固定されるベース部とを備えている。そして、支柱部は、大引支持部の下部に固定された右ネジと、ベース部の上部に固定された左ネジと、上部が右ネジに下部が左ネジに螺着するターンバックルとを備えており、ターンバックルを廻すことで、大引支持部の高さを調整することができるように構成されている。
【０００３】
このように構成することで、床を施工する際に、コンクリート床に立設した床束に大引を固定した後で、水平器などで大引の高さを水平に調整し、大引上に床パネルを敷き詰めて水平な床を施工することができる。
【０００４】
また、別の従来技術としては、主に低床用の床束であって、コンクリート床に固定されるベース部に、外周にネジ溝が設けられた支柱部が空転自在に固定されるとともに、支柱部に床パネルを支持する支持板が螺着されており、支柱部の上端に支柱部を回転操作可能な溝又は穴が設けられた床束が提案されている（例えば特許文献３又は特許文献４）。
【０００５】
この技術によると、支柱部上端を回転操作することにより、支柱部が回転し、支柱部に螺着している支持板が上下に移動することになるので、床パネルを設置した後でも、プラグレンチなどの工具を差し込むことが可能な作業穴さえ設けておけば、床パネルの高さを調整することができ、水平な床を施工することができる。
【先行技術文献】
【特許文献】
【０００６】
【特許文献１】特開２００２−１２１８８３号公報
【特許文献２】特開２０１０−２６５６４９号公報
【特許文献３】特開平７−６２７７８号公報
【特許文献４】特開平１０−２８０６４５号公報
【発明の概要】
【発明が解決しようとする課題】
【０００７】
しかし、上述の特許文献１及び２のような大引を施工する従来技術においては、直接床下地パネルを施工するものに比べて、大引を施工する工数が増加する問題がある。しかも大引が床全体に同じ高さで配置されることになるので、床仕上材や床暖房などの必要から床下地パネルの一部を低く設置したい場合などに施工が困難となる。
【０００８】
一方、大引を設けない場合には、床下地パネルの敷設後に、当該床下地パネルの高さを水平に調整する必要があるが、特許文献３及び４のような従来技術においては、支柱部自体が回転可能に構成されているので、床下地パネルの上から高さ調整はできるものの、上方から支柱部を回転不能に拘束することはできないので、床束のガタツキが生じやすい問題がある。また、上方から支柱部を回転させることによってのみ高さ調整するものであるので、調整できる高さの範囲が限られる問題がある。
【０００９】
そこで、本発明は、床組の施工工数を減らすことができ、床下地パネルの高さを広い範囲で調整可能な床束を提供することを目的とする。
【課題を解決するための手段】
【００１０】
請求項１に記載の床束は、基盤面上に設置され、床下地パネルを支持する床束であって、基盤面に固定されるベースと、前記ベースから上方に延びて設けられ、上下方向の中間部にその長さを調整可能な第一調整部を有する支柱部と、前記支柱部の前記第一調整部よりも上部において、上下方向に移動可能に設けられる第二調整部と、前記第二調整部に外挿するとともに、前記床下地パネルを保持する保持板と、を備え、前記第一調整部は、水平方向から操作可能であるとともに、前記第二調整部は、上方から操作可能であることを特徴としている。
【００１１】
請求項２に記載の床束は、前記第二調整部は、前記支柱部に螺嵌するネジ孔と、前記保持板を空転可能に支持する支持部と、前記支持部の上部に設けられ、前記保持板の上方に突出し、上方から回転操作可能なナット部と、を有する保持ナットと、上方から前記保持ナットを覆う袋部と、前記袋部の上側に設けられ前記支柱部に螺嵌する操作部と、を有するロックナットと、を備えることを特徴としている。
【００１２】
請求項３に記載の床束は、前記保持ナットの前記ナット部と、前記ロックナットの前記操作部とは、上方から見て同一形状であることを特徴としている。
【発明の効果】
【００１３】
請求項１に記載の床束によると、支柱部の中間部にその長さを調整可能な第一調整部を有しており、第一調整部は水平方向から操作することにより長さ調整可能であるので、床下地パネルを敷き詰める前に床下地パネルを設置する高さを大きく調整することができる。そして、床束は、第一調整部よりも上部において、保持板を保持しつつ上下方向に移動可能な第二調整部の２つの調整部を有しており、床下地パネルを敷き詰めた後にも、床下地パネルに操作孔を設けておくことで、この操作孔からプラグレンチなどの工具を挿入して、上方から第二調整部を操作して、高さ調整することができるので、大引を設けずに直接床下地パネルを床束に固定する構成において、容易に床下地パネルを水平に調整することができる。したがって、床下地パネルを敷き詰めた後に床下に潜り込むことなく当該床下地パネルを水平に調整することができ、大引を施工する必要がなく、床組の施工の工数を減らすことができ、床下地パネルの高さを広い範囲で調整することができる。
【００１４】
請求項２に記載の床束によると、第二調整部は、保持ナットと、ロックナットと、を備えており、保持ナットが、支柱部に螺嵌するネジ孔と、保持板を空転可能に支持する支持部と、支持部の上部に設けられ、保持板の上方に突出し、上方から回転操作可能なナット部と、を有するとともに、ロックナットが、上方から保持ナットを覆う袋部と、袋部の上側に設けられ支柱部に螺嵌する操作部と、を有するので、まず、保持ナットのナット部をプラグレンチなどの工具で回転させることにより保持ナット及び保持板を上下方向に移動させることができる。このとき保持板は支持部に空転可能であるので、保持ナットのナット部の回転に従って支持部も回転するが、保持板は回転することなく、床下地パネルを保持し続けることができ、床下地パネルの高さを調整することができる。そして、床下地パネルの高さを調整し終わると、ロックナットを支柱部に螺嵌させて、操作部をプラグレンチなどの工具で回転させることにより、袋部が保持ナットを覆って、保持ナットを拘束することができ、確実に床下地パネルを固定することができる。
【００１５】
請求項３に記載の床束によると、保持ナットのナット部と、ロックナットの操作部とは、上方から見て同一形状であるので、ナット部及び操作部を回転させるための工具を別々に用意する必要がなく、同一の工具で施工することができるので、施工をより容易にすることができる。
【図面の簡単な説明】
【００１６】
【図１】床束の構成を示す斜視図。
【図２】床束の構成を示す断面図。
【図３】保持ナット及び保持板の構成を示す斜視図及び断面図。
【図４】ロックナットの構成を示す斜視図及び断面図。
【図５】床下地パネルの構成を示す斜視図。
【図６】ターンバックルを廻して床束の支柱部の長さを調整する状態を示す斜視図。
【図７】床下地パネルを保持板に固定する状態を示す断面図。
【図８】基盤面に床束を固定して床下地パネルを配置する状態を示す断面図。
【図９】第二調整部を操作して、床下地パネルの高さを調整する状態を示す断面図。
【図１０】完成した床組を示す断面図。
【発明を実施するための形態】
【００１７】
以下、本発明に係る床束１の最良の実施形態について各図を参照しつつ説明する。本実施形態の床束１は、例えば住宅等の基盤面Ｆ上に設置され、床下地パネル２を支持する鋼製の床束１である。なお、本発明において「基盤面」とは、例えば土間コンクリート、基礎スラブ、束石の上面などを含み、床束１を設置する基盤となる面をいう。また、本発明の床束は鋼製束に限定するものではなく、合成樹脂製のいわゆるプラ束であってもよい。
【００１８】
床束１は、図１及び図２に示すように、基盤面Ｆに固定されるベース３と、ベース３から上方に延びて形成される支柱部４と、支柱部４に上下方向に移動可能に設けられる第二調整部５と、第二調整部５に外挿する保持板６とを備えている。ベース３は略矩形の平板状に形成されている。ベース３の４隅は切り欠かれており、床束１を床下地パネル２に固定する際に、ベース３がビス打ちの工具に干渉することがなく、保持板６に対して垂直にビス８を打つことができる。また、ベース３の４辺の中央はそれぞれＶ字の切り欠き３３が設けられており、このＶ字の切り欠き３３を目印にすることで、基盤面Ｆの墨出しした線に正確に床束１を配置することができる。ベース３には、４箇所の貫通孔３１が設けられており、この貫通孔３１を通して基盤面Ｆにコンクリートピン９を打ち込んでベース３を固定する。ベース３の上面には、中央から放射状にリブ３２が設けられており、ベース３が補強されている。
【００１９】
ベース３の上面の中央には、支柱部４が立設されている。支柱部４は、ベース３の中央に固定されている左ネジの下ネジ部４１と、内周面にネジ溝が形成された筒状に形成されており、下部が下ネジ部４１に螺合するとともに、上部が後述する上ネジ部４２に螺合するターンバックル４３と、ターンバックル４３に上端から螺合する右ネジの上ネジ部４２とを有する。また、ターンバックル４３の中央にはターンバックル４３を水平方向に回転させるスパナなどの工具Ｋが挟み込めるように外周面を４方向から平坦に窪ませて水平断面が略正方形になるようにした四面角付け４４が設けられている。
【００２０】
ターンバックル４３の下端には、下ネジ部４１に螺合する下端固定ナット４５がバネ座金４７を介してターンバックル４３の下端に隣接しており、ターンバックル４３の上端には、上ネジ部４２に螺合する上端固定ナット４６がバネ座金４７を介してターンバックル４３の上端に隣接している。これら下端固定ナット４５及び上端固定ナット４６をターンバックル４３に接近する方向に締め付けることで、ターンバックル４３は回転しないように拘束される。
【００２１】
本発明における「第一調整部」は、本実施形態においてはターンバックル４３がこれに相当する。なお、本発明における「第一調整部」は、ターンバックル４３に限定されるものではなく、支柱部４の長さを変化させることによって、第二調整部５に外挿する保持板６の高さを変更することができるものであれば如何なる構成であってもよい。
【００２２】
第二調整部５は、ターンバックル４３よりも上部において、支柱部４に螺合しており、自転により支柱部４に沿って上下方向に移動可能となっている。第二調整部５は、プラグレンチＰを用いて上方から回転させる操作が可能である。第二調整部５は、具体的には、支柱部４に回転可能に螺合する保持ナット５０と、保持ナット５０に外挿する皿バネ５７と、皿バネ５７を介して保持板６を押さえ、保持板６及び保持ナット５０を拘束するロックナット５１により構成されている。保持ナット５０は、図３に示すよう、下端側に支持部５２が設けられている。支持部５２は、水平方向に拡径した２枚のフランジが上下に配置された円筒形状であり、上下のフランジの間に保持板６が挟みこまれて空転自在に保持されている。また、保持ナット５０の上部には、六角ナット状のナット部５３が形成されている。保持ナット５０は鉛直方向に中央を貫通して、支柱部４の上ネジ部４２に螺合するネジ孔５４が設けられている。皿バネ５７は、保持ナット５０の上側のフランジの外周に外挿している。
【００２３】
ロックナット５１は、図４に示すように、上方から保持ナット５０を覆って皿バネ５７に当接し、当該皿バネ５７を介して、保持板６及び保持ナット５０を拘束する当該保持ナット５０を拘束する袋部５５と、袋部５５の上側に設けられ前記支柱部４に螺嵌する操作部５６と、を有する。袋部５５は、保持ナット５０のナット部５３を内部空間に収納可能な大きさの円筒形状であり、袋部５５の下端が保持ナット５０の支持部５２の上側のフランジの外周に外挿している皿バネ５７に当接する。操作部５６は、保持ナット５０のナット部５３と同じ大きさの六角ナット状に形成されており、支柱部４の上ネジ部４２に螺嵌している。
【００２４】
保持板６は、図３に示すように、中央に保持ナット５０に空転自在に支持される支持孔６１が設けられ、四隅に床下地パネル２に固定するための固定孔６２が設けられた矩形平板状である。
【００２５】
床下地パネル２は、図５に示すように、略正方形状で合板製のパネル本体２１と、パネル本体２１を補強する枠体２２と、により形成されている。また、床下地パネル２の裏面には、図７に示すように、適宜断熱面材が取り付けられている。床下地パネル２は、保持板６に固定される際に、保持板６から上方に突出している第二調整部５及び支柱部４の上ネジ部４２を挿入可能な操作孔２３又は操作用切り欠き２４が設けられている。なお、複数の床下地パネル２を互いに隣接するように敷き詰めたときに、互いに突き合わされる床下地パネル２にそれぞれ操作用切り欠き２４が設けられることで操作孔２３を形成するものである。これらの操作孔２３は、床下地パネル２を上下方向に貫通しており、プラグレンチＰを挿入して、操作孔２３の内部に挿入されている保持ナット５０のナット部５３及びロックナット５１の操作部５６を締結又は弛緩方向に回転させることができるものである。
【００２６】
本実施形態の床束１を用いて、床組を施工する際には、まず、スパナレンチなどの工具で下端固定ナット４５及び上端固定ナット４６をターンバックル４３から離反する方向に回転させる。そして、図６に示すように、ターンバックル４３の四面角付け４４を工具Ｋで挟持してターンバックル４３を回転させ、支柱部４の長さを調整する。次いで、下端固定ナット４５及び上端固定ナット４６をターンバックル４３に接近する方向に回転させて締め付け、ターンバックル４３を回転不能に拘束する。
【００２７】
そして、図５に示すように、床下地パネル２の操作孔２３に裏面側から床束１の第二調整部５及び支柱部４の上ネジ部４２を挿入して、保持板６を床下地パネル２裏面の枠体２２に当接させ、その後、図７に示すように、保持板６の固定孔６２を通して床下地パネル２にビス８を打ち込んで、床下地パネル２に保持板６を固定する。そして、基盤面Ｆの墨打ち線を目印にして、床束１のベース３を基盤面Ｆに配置し、図８に示すように、４箇所の貫通孔３１を通して基盤面Ｆにコンクリートピン９を打ち込んでベース３を固定し、基盤面Ｆ上に床束１を立設させるとともに、床束１の上に床下地パネル２を敷き詰める。なお、互いに隣接する床下地パネル２の間には、図示しないが床用の弾性接着剤を塗布している。
【００２８】
そして、全ての床束１を立設させて全ての床下地パネル２を敷き詰めた後、床下地パネル２を水平に調整する。具体的には、図９（Ａ）に示すように、床下地パネル２に設けられた操作孔２３にプラグレンチＰを挿入して、操作孔２３の内部において、支柱部４の上ネジ部４２に螺合しているロックナット５１の操作部５６を弛緩方向に回転させて、ロックナット５１を上ネジ部４２から取り外す。そして、図９（Ｂ）に示すように、さらにプラグレンチＰを用いて、上ネジ部４２に螺合している保持ナット５０のナット部５３を回転させて、保持ナット５０を上下方向に移動させる。保持ナット５０の支持部５２は保持板６を空転自在に保持しているので、保持ナット５０の回転によって保持ナット５０が上下方向に移動するのに伴い、保持板６も上下に移動し、保持板６に固定されている床下地パネル２も上下方向に移動する。
【００２９】
保持ナット５０を回転させることにより適切な高さに水平に床下地パネル２を調整した後、ロックナット５１を上ネジ部４２に螺合させて、プラグレンチＰでロックナット５１の操作部５６を締結方向に回転させて、ロックナット５１の袋部５５が保持ナット５０のナット部５３を覆うようにして、そのままロックナット５１を保持ナット５０の支持部５２が皿バネ５７に当接するまで締め付ける。このようにすると、ロックナット５１によって、皿バネ５７を介して、保持板６と保持ナット５０が回転不能に拘束されるので、床下地パネル２が水平に調整された状態で確実に固定される。
【００３０】
床下地パネル２が敷き詰められ、面一な水平に調整されると、その後、図１０に示すように、化粧床材７を床下地パネル２上に貼り付けて、床組を完成させる。
【００３１】
このように、本実施形態の床束１は、支柱部４の中間部にその長さを調整可能なターンバックル４３を有しているので、床束１を基盤面Ｆに設置する前に予め床束１の長さを調整することができる。また、このような床束１の水平方向から操作可能なターンバックル４３を有することで、化粧床材７を貼り付けた後に、例えば床鳴りなどがあった場合にも、床下に潜り込むことで、化粧床材７を剥がすことなく、容易に床下地パネル２の高さを調整することができる。
【００３２】
一方、床組の施工時において、床束１には、保持板６を保持しつつ上下方向に移動可能な第二調整部５が設けられているので、床下地パネル２を敷き詰めた後に、床下地パネル２に操作孔２３を設けておくことで、この操作孔２３からプラグレンチＰを挿入して、上方から第二調整部５を操作することで、高さ調整することができるので、床下に潜り込むことなく、床下地パネル２を水平に調整することができる。したがって、大引を設けずに直接床下地パネル２を床束１に固定する構成において、容易に床下地パネル２を水平に調整することができる。したがって、大引を施工する必要がなく、又、床下地パネル２を敷き詰めた後に床下に潜る必要もないことから、床の水平精度を保ちつつ、施工工程を簡単にすることができ、床下地パネル２の高さを広い範囲で調整することができる。
【００３３】
そして、第二調整部５は、保持ナット５０と、ロックナット５１と、を備えているので、保持ナット５０の回転によって床下地パネル２の上側から簡単に床下地パネル２の高さを調整するとともに、ロックナット５１で保持ナット５０を拘束することにより、床下地パネル２の固定を確実なものにすることができる。しかも、保持ナット５０のナット部５３と、ロックナット５１の操作部５６とは、上方から見て同一形状であるので、ナット部５３及び操作部５６を回転させるための工具を別々に用意する必要がなく、同一のプラグレンチＰで施工することができ、施工をより容易にすることができる。
【００３４】
なお、本発明の実施の形態は上述の形態に限ることなく、本発明の思想の範囲を逸脱しない範囲で適宜変更することができることは云うまでもない。
【産業上の利用可能性】
【００３５】
本発明に係る床束１は、住宅の床組に用いる床束１として好適に用いることができる。
【符号の説明】
【００３６】
１      床束
２      床下地パネル
３      ベース
４      支柱部
５      第二調整部
６      保持板
４３    ターンバックル（第一調整部）
【図１】
2015168984.tif 000003
【図２】
2015168984.tif 000004
【図３】
2015168984.tif 000005
【図４】
2015168984.tif 000006
【図５】
2015168984.tif 000007
【図６】
2015168984.tif 000008
【図７】
2015168984.tif 000009
【図８】
2015168984.tif 000010
【図９】
2015168984.tif 000011
【図１０】
2015168984.tif 000012